(57)【要約】【課題】プロジェクターの使用状態に合わせて最適な表示を行うことが可能なプロジェクター、及びプロジェクターの制御方法を提供する。【解決手段】プロジェクターの設定を行う第１設定画面を投写面に投写する投写部と、プロジェクターの筐体に配置され、プロジェクターの設定を行う第２設定画面を表示する表示部と、プロジェクターの使用状態を判定する判定部と、判定部で判定された使用状態に応じて、動作モードを投写部から第１設定画面を投写させる第１モードと、表示部に第２設定画面を表示させる第２モードと、で切り換えるモード切り換え部と、を備える。【選択図】図４
2020034644.tif 000002
【特許請求の範囲】
【請求項１】
プロジェクターであって、
前記プロジェクターの設定を行う第１設定画面を投写面に投写する投写部と、
前記プロジェクターの筐体に配置され、前記プロジェクターの設定を行う第２設定画面を表示する表示部と、
前記プロジェクターの使用状態を判定する判定部と、
前記判定部で判定された前記使用状態に応じて、動作モードを前記投写部から前記第１設定画面を投写させる第１モードと、前記表示部に前記第２設定画面を表示させる第２モードと、で切り換えるモード切り換え部と、
を備えることを特徴とするプロジェクター。
【請求項２】
請求項１に記載のプロジェクターであって、
前記プロジェクターは、前記投写部による投写を遮るカバーを備え、
前記判定部は、前記カバーの開閉状態を判定し、
前記モード切り換え部は、前記カバーが開いていれば前記動作モードを前記第１モードにし、前記カバーが閉じていれば前記動作モードを前記第２モードにすることを特徴とするプロジェクター。
【請求項３】
請求項１に記載のプロジェクターであって、
前記投写面を撮像する撮像部を備え、
前記判定部は、前記撮像部により撮像された画像に基づいて、前記投写面の状態が前記第１設定画面を視認可能な状態であるか否かを判定し、
前記モード切り換え部は、前記投写面の状態が前記第１設定画面を視認可能な状態であると前記判定部が判定した場合には、前記動作モードを前記第１モードにし、前記投写面の状態が前記第１設定画面を視認可能な状態ではないと前記判定部が判定した場合には、前記動作モードを前記第２モードにすることを特徴とするプロジェクター。
【請求項４】
請求項１に記載のプロジェクターであって、
前記投写部は、光源を備えており、
前記判定部は、前記光源の点灯状態を判定し、
前記モード切り換え部は、前記光源が点灯していれば前記動作モードを前記第１モードにし、前記光源が消灯していれば前記動作モードを前記第２モードにすることを特徴とするプロジェクター。
【請求項５】
請求項１に記載のプロジェクターであって、
前記投写部は、交換が可能な投写光学系を含み、
前記判定部は、前記投写光学系の装着状態を判定し、
前記モード切り換え部は、前記投写光学系が装着されていれば前記動作モードを前記第１モードにし、前記投写光学系が装着されていなければ前記動作モードを前記第２モードにすることを特徴とするプロジェクター。
【請求項６】
プロジェクターの制御方法であって、
前記プロジェクターは投写部と、前記プロジェクターの筐体に配置される表示部と、を備え、
前記プロジェクターの使用状態を判定し、
判定した前記使用状態に応じて、前記プロジェクターの設定を行う第１設定画面を前記投写部から投写面に投写させる第１モードと、前記プロジェクターの設定を行う第２設定画面を前記表示部に表示させる第２モードと、を切り換えることを特徴とするプロジェクターの制御方法。
【請求項７】
請求項６に記載のプロジェクターの制御方法であって、
前記プロジェクターには、投写を遮るカバーが配置されており、
前記カバーの開閉状態を判定し、
前記カバーが開いている場合、前記動作モードを前記第１モードにし、
前記カバーが閉じている場合、前記動作モードを前記第２モードにすることを特徴とするプロジェクターの制御方法。
【請求項８】
請求項６に記載のプロジェクターの制御方法であって、
前記投写面を撮像し、
前記投写面の状態が前記第１設定画面を視認可能な状態であるか否かを判定し、
前記投写面の状態が前記第１設定画面を視認可能な状態であると判定された場合、前記動作モードを前記第１モードにし、
前記投写面の状態が前記第１設定画面を視認可能な状態ではないと判定された場合、前記動作モードを前記第２モードにすることを特徴とするプロジェクターの制御方法。
【発明の詳細な説明】
【技術分野】
【０００１】
本発明は、プロジェクター、及びプロジェクターの制御方法に関する。
【背景技術】
【０００２】
プロジェクターとして、例えば、特許文献１に記載のように、本体（筐体）の背面や側面に表示部（モニター）が備えられているものが開示されている。ユーザーは、この表示部を用いて、プロジェクターの調整や設定を行うことができる。
【先行技術文献】
【特許文献】
【０００３】
【特許文献１】特開２０１５−１５８６１９号公報
【発明の概要】
【発明が解決しようとする課題】
【０００４】
しかしながら、上記のような表示部に設定画面を表示して各種設定を行う場合には、表示部の画面が小さく、表示される情報量が少ないためユーザーの利便性が低下してしまう。また、使用環境によっては、表示部からの光漏れが気になったり、表示部に手が触れて誤動作したりして、投写画像を見ている人の邪魔になる場合もある。
【０００５】
一方、プロジェクターからＯＳＤ（オンスクリーンディスプレイ）画像として設定画面を表示するようにすれば、画面が大きいためユーザーの利便性が向上する。しかしながら、例えば、投写するスクリーンが未設置の場合や、投写面が凹凸になっている場合には、設定画面の視認性が低下し、設定が困難になってしまうという課題を有している。
【課題を解決するための手段】
【０００６】
本願のプロジェクターは、前記プロジェクターの設定を行う第１設定画面を投写面に投写する投写部と、前記プロジェクターの筐体に配置され、前記プロジェクターの設定を行う第２設定画面を表示する表示部と、前記プロジェクターの使用状態を判定する判定部と、前記判定部で判定された前記使用状態に応じて、動作モードを前記投写部から前記第１設定画面を投写させる第１モードと、前記表示部に前記第２設定画面を表示させる第２モードと、で切り換えるモード切り換え部と、を備えることを特徴とする。
【０００７】
上記のプロジェクターにおいて、前記プロジェクターは、前記投写部による投写を遮るカバーを備え、前記判定部は、前記カバーの開閉状態を判定し、前記モード切り換え部は、前記カバーが開いていれば前記動作モードを前記第１モードにし、前記カバーが閉じていれば前記動作モードを前記第２モードにすることが望ましい。
【０００８】
上記のプロジェクターにおいて、前記投写面を撮像する撮像部を備え、前記判定部は、前記撮像部により撮像された画像に基づいて、前記投写面の状態が前記第１設定画面を視認可能な状態であるか否かを判定し、前記モード切り換え部は、前記投写面の状態が前記第１設定画面を視認可能な状態であると前記判定部が判定した場合には、前記動作モードを前記第１モードにし、前記投写面の状態が前記第１設定画面を視認可能な状態ではないと前記判定部が判定した場合には、前記動作モードを前記第２モードにすることが望ましい。
【０００９】
上記のプロジェクターにおいて、前記投写部は、光源を備えており、前記判定部は、前記光源の点灯状態を判定し、前記モード切り換え部は、前記光源が点灯していれば前記動作モードを前記第１モードにし、前記光源が消灯していれば前記動作モードを前記第２モードにすることが望ましい。
【００１０】
上記のプロジェクターにおいて、前記投写部は、交換が可能な投写光学系を含み、前記判定部は、前記投写光学系の装着状態を判定し、前記モード切り換え部は、前記投写光学系が装着されていれば前記動作モードを前記第１モードにし、前記投写光学系が装着されていなければ前記動作モードを前記第２モードにすることが望ましい。
【００１１】
本願のプロジェクターの制御方法は、前記プロジェクターは投写部と、前記プロジェクターの筐体に配置される表示部と、を備え、前記プロジェクターの使用状態を判定し、判定した前記使用状態に応じて、前記プロジェクターの設定を行う第１設定画面を前記投写部から投写面に投写させる第１モードと、前記プロジェクターの設定を行う第２設定画面を前記表示部に表示させる第２モードと、を切り換えることを特徴とする。
【００１２】
上記のプロジェクターの制御方法において、前記プロジェクターには、投写を遮るカバーが配置されており、前記カバーの開閉状態を判定し、前記カバーが開いている場合、前記動作モードを前記第１モードにし、前記カバーが閉じている場合、前記動作モードを前記第２モードにすることが望ましい。
【００１３】
上記のプロジェクターの制御方法において、前記投写面を撮像し、前記投写面の状態が前記第１設定画面を視認可能な状態であるか否かを判定し、前記投写面の状態が前記第１設定画面を視認可能な状態であると判定された場合、前記動作モードを前記第１モードにし、前記投写面の状態が前記第１設定画面を視認可能な状態ではないと判定された場合、前記動作モードを前記第２モードにすることが望ましい。
【図面の簡単な説明】
【００１４】
【図１】第１実施形態のプロジェクターの構成を示す斜視図。
【図２】筐体の側面一部の構成を拡大して示す側面拡大図。
【図３】プロジェクターの構成を示すブロック図。
【図４】プロジェクターの動作を示すフローチャート。
【図５】投写面に投写されたＯＳＤメニュー画像を示す模式図。
【図６】表示部に表示された簡易メニュー画面を示す模式図。
【図７】第２実施形態のプロジェクターの構成を示すブロック図。
【図８】プロジェクターの動作を示すフローチャート。
【発明を実施するための形態】
【００１５】
以下、本実施形態のプロジェクターについて、図面を参照して説明する。
【００１６】
（第１実施形態）
図１は、本実施形態のプロジェクターの構成を示す斜視図である。以下、プロジェクターの構成を、図１を参照しながら説明する。
【００１７】
図１に示すように、プロジェクター１は、本体が筐体２によって覆われた構成になっている。筐体２の前面２ｆには、開口部３が設けられている。開口部３の後方には、前方に向かって画像光を投写する投写レンズ４が備えられている。開口部３には、カバーとしてのレンズカバー５（シャッター）が開閉可能に備えられている。
【００１８】
開口部３をレンズカバー５で閉塞することによって、投写レンズ４を保護することが可能となっている。レンズカバー５は、例えば、合成樹脂製の板状体で構成されている。筐体２の側面２ｓには、各種設定内容を表示する表示部６、及びユーザーにより入力操作が行われる操作パネル７が備えられている。
【００１９】
図２は、筐体の側面の一部を拡大して示す側面拡大図である。以下、筐体の側面の一部の構成を、図２を参照しながら説明する。
【００２０】
図２に示すように、筐体２の側面２ｓには、表示部６及び操作パネル７が備えられている。表示部６は、例えば、液晶ディスプレイで構成されている。表示部６には、プロジェクター１の各種設定を行うためのメニュー画面や、プロジェクター１の環境状態（例えば、本体内部の温度）などが表示される。
【００２１】
操作パネル７は、ユーザーがプロジェクター１に対して各種設定を行うための複数の操作キーを備えている。操作キーとしては、例えば、操作パネル７の左側に、電源のオンとオフ（スタンバイ）とを切り替えるための電源キー１１と、開閉キー１２の一つであるレンズカバー５を閉じる閉キー１２ａと、開閉キー１２の一つであるレンズカバー５を開ける開キー１２ｂとが配置されている。
【００２２】
また、操作キーとしては、例えば、操作パネル７の中央に、入力された画像情報を切り替えるための入力切換キー１３と、各種設定を行うためのメニュー画面を表示させるメニューキー１４と、が配置されている。
【００２３】
また、操作キーとしては、例えば、操作パネル７の右側に、メニュー画面におけるカーソルの移動などに用いられるカーソルキー１５ａと、各種設定を決定するための決定キー１５ｂと、が配置されている。
【００２４】
図３は、プロジェクターの構成を示すブロック図である。以下、プロジェクターの構成を示すブロック図を、図３を参照しながら説明する。
【００２５】
図３に示すように、プロジェクター１は、制御部２１と、記憶部２２と、投写部としての画像投写部２３と、画像情報処理部２８と、画像情報入力部２９と、入力操作部３１と、表示部６と、レンズカバー駆動部３３と、を含んで構成されている。
【００２６】
制御部２１は、１つ又は複数のプロセッサーを備えて構成され、記憶部２２に記憶されている制御プログラム（図示せず）に従って動作することにより、プロジェクター１の動作を統括制御する。
【００２７】
記憶部２２は、ＲＡＭ（Random Access Memory）及びＲＯＭ（Read Only Memory）等のメモリーを備えて構成されている。ＲＡＭは、各種データ等の一時記憶に用いられる。ＲＯＭは、プロジェクター１の動作を制御するための制御プログラムや、各種設定情報等を記憶する。
【００２８】
画像投写部２３は、光源２４と、３つの液晶ライトバルブ２５Ｒ，２５Ｇ，２５Ｂと、投写光学系としての投写レンズ４と、ライトバルブ駆動部２７と、を備えて構成されている。画像投写部２３は、光源２４から射出された光を、液晶ライトバルブ２５Ｒ，２５Ｇ，２５Ｂで変調して画像光を形成し、投写レンズ４からこの画像光を投写して投写面５０に画像を表示する。
【００２９】
光源２４は、超高圧水銀ランプやメタルハライドランプ等の放電型の光源ランプ、又は発光ダイオードや半導体レーザー等の固体光源を含んで構成されている。光源２４から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２５Ｒ，２５Ｇ，２５Ｂに入射する。
【００３０】
液晶ライトバルブ２５Ｒ，２５Ｇ，２５Ｂは、それぞれ一対の透明基板間に液晶が封入された透過型の液晶パネル等によって構成される。各液晶パネルには、マトリクス状に配列された複数の画素からなる矩形の画素領域２５ｉが形成されており、液晶に対して画素毎に駆動電圧を印加可能になっている。
【００３１】
ライトバルブ駆動部２７は、液晶ライトバルブ２５Ｒ，２５Ｇ，２５Ｂの画素領域２５ｉに画像を形成する。具体的には、ライトバルブ駆動部２７は、画像情報処理部２８から入力される画像情報に応じた駆動電圧を、画素領域２５ｉの各画素に印加し、各画素を画像情報に応じた光透過率に設定する。
【００３２】
光源２４から射出された光は、液晶ライトバルブ２５Ｒ，２５Ｇ，２５Ｂの画素領域２５ｉを透過することによって画素毎に変調され、画像情報に応じた画像光が色光毎に形成される。形成された各色の画像光は、図示しない色合成光学系によって画素毎に合成されてカラー画像を表す画像光となり、投写レンズ４によって投写面５０に拡大投写される。この結果、投写面５０上には、画像情報入力部２９に入力された画像情報に基づく画像が表示される。
【００３３】
画像情報入力部２９は、画像再生装置等の外部の画像供給装置３０に接続され、画像供給装置３０からコンテンツ画像に対応する画像情報の供給を受ける。また、画像情報入力部２９は、制御部２１から、記憶部２２に記憶されている画像情報や、制御部２１が生成した画像情報の供給を受けることができる。画像情報入力部２９は、入力された画像情報を画像情報処理部２８に出力する。
【００３４】
画像情報処理部２８は、制御部２１の制御に基づいて、画像情報入力部２９から入力される画像情報に対して各種画像処理を施し、処理後の画像情報を画像投写部２３のライトバルブ駆動部２７に出力する。例えば、画像情報処理部２８は、画質を調整する処理や、画像の形状（歪み）を補正する処理、コンテンツ画像上にメニュー画面やメッセージ画像等のＯＳＤ（オンスクリーンディスプレイ）画像を重畳して表示する処理等を必要に応じて画像情報に施す。
【００３５】
入力操作部３１は、上記した操作パネル７を備えている。ユーザーが操作パネル７の各種操作キーを操作すると、入力操作部３１は、その操作を受け付けて、操作内容に応じた操作信号を制御部２１に出力する。なお、遠隔操作が可能なリモコン（図示せず）を、入力操作部３１として用いる構成としてもよい。この場合、リモコンは、ユーザーの操作内容に応じた赤外線の操作信号を発信し、図示しないリモコン信号受信部がこれを受信して制御部２１に伝達する。
【００３６】
電源回路３２には、外部からＡＣ１００Ｖ等の商用電源（図示せず）が供給される。電源回路３２は、上記した電源キー１１が押されると、商用電源（交流電源）を所定の電圧の直流電源に変換して、プロジェクター１の各部に電力を供給する（各部への供給経路については、図示を省略する）。制御部２１は、電源回路３２を制御して、各部への電源供給を開始したり、停止したりすることができる。
【００３７】
具体的には、制御部２１は、プロジェクター１の通常の動作に必要な電力が電源回路３２から各部に供給されるオン状態（「電源オンの状態」とも呼ぶ。）と、各部への電源供給が制限されてオン状態に比べて消費電力が極めて小さいオフ状態（「電源オフの状態」又は「スタンバイ状態」とも呼ぶ。）と、を切り替えることができる。
【００３８】
表示部６は、上記したように、プロジェクター１の筐体２の側面２ｓに設けられている。表示部６は、例えば、液晶ディスプレイで構成されており、本実施形態では、３行程度の文字列を表示可能な大きさを有している。
【００３９】
レンズカバー駆動部３３は、モーター等を備えて構成され、制御部２１の制御に基づいて、レンズカバー５の開閉を駆動する。具体的には、ユーザーが操作パネル７の開キー１２ｂを押すと、制御部２１は、レンズカバー駆動部３３にレンズカバー５を開ける指示を行う。一方、ユーザーが操作パネル７の閉キー１２ａを押すと、制御部２１は、レンズカバー駆動部３３にレンズカバー５を閉じる指示を行う。ユーザーは、プロジェクター１から画像を投写させる際にレンズカバー５を開き、画像を投写させない場合には、レンズカバー５を閉じて投写レンズ４を保護する。制御部２１は、制御プログラムによって実現される機能ブロックとして、判定部２１ａと、モード切り換え部としての切り換え部２１ｂと、を有している。
【００４０】
判定部２１ａは、レンズカバー５が開いているか閉じているかを判定する。記憶部２２には、現在のレンズカバー５の開閉状態を示す開閉情報が記憶されており、制御部２１は、レンズカバー駆動部３３にレンズカバー５の開閉を行わせる際に、開閉情報を更新する。このため、判定部２１ａは、この開閉情報を参照することによって、レンズカバー５の開閉状態を判定することができる。本実施形態のプロジェクター１は、ユーザーがプロジェクター１の各種設定を行う際に、レンズカバー５の開閉状態に応じて異なる動作を行う。
【００４１】
切り換え部２１ｂは、判定部２１ａで判定された使用状態に応じて、動作モードを第１モード又は第２モードに切り換える。第１モード及び第２モードについては後述する。
【００４２】
図４は、各種設定を行う際のプロジェクターの動作を示すフローチャートである。図５は、投写面に投写された第１設定画面であるＯＳＤメニュー画面を示す模式図である。図６は、表示部に表示された第２設定画面である簡易メニュー画面を示す模式図である。以下、プロジェクター１の動作（制御方法）を、図４〜図６を参照しながら説明する。ユーザーによって操作パネル７のメニューキー１４が操作されると、プロジェクター１は、図４に示すフローに従って動作する。
【００４３】
図４に示すように、ステップＳ１０１では、制御部２１は、判定部２１ａによってレンズカバー５が開いているか否かを判定する。制御部２１は、判定部２１ａによって、レンズカバー５が開いている（開状態）と判定されれば、ステップＳ１０２に処理を移行する。レンズカバー５が閉じている（閉状態）と判定されれば、ステップＳ１１１に処理を移行する。
【００４４】
レンズカバー５が開いていると判定されてステップＳ１０２に処理が移行した場合には、制御部２１は、図５に示すように、画像投写部２３から投写面５０にＯＳＤメニュー画面４１を投写させる。具体的には、制御部２１は、記憶部２２からＯＳＤメニュー画面４１の画像情報を読み出す。更に、制御部２１は、読み出した画像情報を画像情報処理部２８に出力し、ＯＳＤメニュー画面４１を重畳して投写するように指示する。
【００４５】
ＯＳＤメニュー画面４１は、プロジェクター１の各種設定を行う第１設定画面としてのメニュー画面である。ＯＳＤメニュー画面４１で設定が可能な項目としては、投写される画像の色や明るさを調整するための「画質設定」や、画像（映像）の解像度やアスペクト比等を設定するための「映像設定」などがある。また、プロジェクター１がネットワークに接続されている場合には、ＯＳＤメニュー画面４１によってネットワークに関する情報を設定できるようにしてもよいし、投写レンズ４のフォーカス状態、ズーム状態、レンズシフト状態等をＯＳＤメニュー画面４１で調整できるようにしてもよい。
【００４６】
ステップＳ１０３では、プロジェクター１の各種設定を行うため、操作パネル７からのキー入力を受け付ける。具体的には、図５に示すように、ユーザーが、投写されたＯＳＤメニュー画面４１を見ながら操作パネル７のキーを操作すると、操作パネル７は、ユーザーの操作内容に応じた操作信号を制御部２１に出力する。制御部２１は、操作信号に応じた設定処理を実行し、フローを終了する。ここで、設定処理とは、例えば、ユーザーによって設定された情報を記憶部２２に記憶させる処理である。
【００４７】
レンズカバー５が閉じていると判定されてステップＳ１１１に処理が移行した場合には、制御部２１は、図６に示すように、プロジェクター１の側面２ｓの表示部６に簡易メニュー画面４２を表示する。具体的には、制御部２１は、記憶部２２から簡易メニュー画面４２の画像情報を読み出す。更に、制御部２１は、読み出した画像情報を表示部６に出力し、簡易メニュー画面４２を表示するように指示する。
【００４８】
簡易メニュー画面４２は、プロジェクター１の各種設定を行う第２設定画面としてのメニュー画面であり、設定が可能な項目としては、ＯＳＤメニュー画面４１と同様、「画質設定」や「映像設定」などが含まれ、必要に応じてネットワークに関する設定や、投写レンズ４に関する設定なども含まれている。
【００４９】
ステップＳ１１２では、プロジェクター１の各種設定を行うため、操作パネル７からのキー入力を受け付ける。具体的には、ユーザーが、表示部６に表示された簡易メニュー画面４２を見ながら操作パネル７のキーを操作すると、操作パネル７は、ユーザーの操作内容に応じた操作信号を制御部２１に出力する。制御部２１は、操作信号に応じた設定処理を実行し、フローを終了する。
【００５０】
なお、第１モードとは、表示部６に簡易メニュー画面４２を表示せずに、投写面５０にＯＳＤメニュー画面４１を投写するとともに、ＯＳＤメニュー画面４１の表示に合わせて操作パネル７を操作させる動作を含む。また、第２モードとは、投写面５０にＯＳＤメニュー画面４１を表示せずに、表示部６に簡易メニュー画面４２を表示するとともに、表示部６の表示に合わせて操作パネル７を操作させる動作を含む。
【００５１】
以上説明したように、第１実施形態のプロジェクター１、及びプロジェクター１の制御方法によれば、以下の効果を得ることができる。
【００５２】
（１）第１実施形態によれば、プロジェクター１は、レンズカバー５が開いていれば投写面５０にＯＳＤメニュー画面４１を投写し、レンズカバー５が閉じていれば表示部６に簡易メニュー画面４２を表示する。つまり、レンズカバー５が開いていて、画像の投写が可能な場合には、ＯＳＤメニュー画面４１が投写面５０に表示されるため、ユーザーは、大きな画面で設定を行うことができる。一方、レンズカバー５が閉じていて画像を投写できない場合には、簡易メニュー画面４２が表示部６に表示されるため、ユーザーは、プロジェクター１から画像を投写することなく設定を行うことができる。このように、プロジェクター１は、レンズカバー５の開閉状態に応じて適切な態様でメニュー画面を表示するため、プロジェクター１の設定を行う際のユーザーの利便性を向上することが可能となる。
【００５３】
（２）第１実施形態によれば、投写面５０に投写する設定画面がＯＳＤ画像なので、他の投写画像に重ねて表示させることが可能となり、スムーズにプロジェクター１の各種設定を行うことができる。
【００５４】
（第２実施形態）
図７は、第２実施形態のプロジェクターの構成を示すブロック図である。以下、第２実施形態のプロジェクターの構成を、図７を参照しながら説明する。
【００５５】
第１実施形態のプロジェクター１は、レンズカバー５の開閉状態に応じてメニュー画面の表示態様を異ならせていたが、第２実施形態のプロジェクター１は、投写面５０の状態に応じてメニュー画面の表示態様を異ならせている。その他の部分については概ね第１実施形態と同様であるため、第２実施形態では、第１実施形態と異なる部分について詳細に説明し、その他の重複する部分については適宜説明を省略する。
【００５６】
図７に示すように、プロジェクター１は、制御部２１と、記憶部２２と、画像投写部２３と、画像情報処理部２８と、画像情報入力部２９と、入力操作部３１と、表示部６と、撮像部８と、を含んで構成されている。第２実施形態のプロジェクター１は、第１実施形態の構成に加えて、撮像部８を含んでいる部分が異なっている。
【００５７】
撮像部８は、ＣＣＤ（Charge Coupled Device）センサー、或いはＣＭＯＳ（Complementary Metal Oxide Semiconductor）センサー等の撮像素子（図示せず）を備えたカメラである。撮像部８は、投写面５０の方向、即ち画像投写部２３から画像が投写される方向を撮像できるように配置されている。撮像部８は、制御部２１の指示により、投写面５０に投写されたＯＳＤメニュー画面４１を撮像する。
【００５８】
本実施形態の判定部２１ａは、撮像部８で撮像したＯＳＤメニュー画面４１に基づいて、ユーザーがＯＳＤメニュー画面４１を適切に視認できるか否かを判定する。例えば、本来投写面５０として設置されるべきスクリーンがまだ設置されていない場合や、元々凹凸のある投写面５０にコンテンツ画像を投写する場合には、投写されたＯＳＤメニュー画面４１は、歪んで視認されたり、折れ曲がって視認されたりする。また、ＯＳＤメニュー画面４１は、暗色の面に投写される場合にも視認が困難となる。このような場合には、ユーザーにとって、プロジェクター１の設定が困難になるという不具合が生じる。
【００５９】
判定部２１ａは、撮像部８で撮像した画像に輪郭抽出処理を施すことによってＯＳＤメニュー画面４１の輪郭を検出する。そして、判定部２１ａは、輪郭が検出できなかった場合や、輪郭が歪んでいたり不連続であったりする場合に、投写面５０の状態が、ＯＳＤメニュー画面４１を適切に視認できる状態ではないと判定する。本実施形態のプロジェクター１は、ユーザーがプロジェクター１の各種設定を行う際に、投写面５０の状態に応じて異なる動作を行う。
【００６０】
図８は、第２実施形態のプロジェクターの動作を示すフローチャートである。以下、第２実施形態のプロジェクター１の動作（制御方法）を、図８を参照しながら説明する。ユーザーによって操作パネル７のメニューキー１４が操作されると、プロジェクター１は、図８に示すフローに従って動作する。
【００６１】
図８に示すように、ステップＳ２０１では、制御部２１は、画像情報処理部２８に指示をして、ＯＳＤメニュー画面４１を画像投写部２３から投写させる。ステップＳ２０２では、制御部２１は、撮像部８に指示をして、投写面５０に投写されたＯＳＤメニュー画面４１を撮像させる。
【００６２】
ステップＳ２０３では、制御部２１は、投写面５０の状態が、ＯＳＤメニュー画面４１を適切に視認できる状態であるか否かを判定部２１ａにより判定する。制御部２１は、判定部２１ａによってＯＳＤメニュー画面４１を適切に視認可能であると判定されれば、ステップＳ２０４に処理を移行し、継続してＯＳＤメニュー画面を投写する。一方、制御部２１は、ＯＳＤメニュー画面４１を適切に視認できないと判定されれば、ステップＳ２１１に処理を移行する。
【００６３】
ステップＳ２０５では、プロジェクター１の各種設定を行うためにキー入力を受け付ける。具体的には、図５に示すように、ユーザーが、投写されたＯＳＤメニュー画面４１を見ながら操作パネル７のキーを操作すると、操作パネル７は、ユーザーの操作内容に応じた操作信号を制御部２１に出力する。制御部２１は、操作信号に応じた設定処理を実行し、フローを終了する。投写されるＯＳＤメニュー画面４１の内容は、上記した第１実施形態と同様である。
【００６４】
投写面５０の状態が、ＯＳＤメニュー画面４１を適切に視認できない状態であると判定されてステップＳ２１１に処理が移行した場合には、制御部２１は、画像情報処理部２８に指示をして、ＯＳＤメニュー画面４１の重畳を停止させる。そして、ステップＳ２１２では、制御部２１は、図６に示すように、プロジェクター１の側面２ｓの表示部６に簡易メニュー画面４２を表示する。具体的には、制御部２１は、記憶部２２から簡易メニュー画面４２の画像情報を読み出す。更に、制御部２１は、表示部６に簡易メニュー画面４２を表示するように指示する。
【００６５】
ステップＳ２１３では、プロジェクター１の各種設定を行うため、操作パネル７からのキー入力を受け付ける。具体的には、ユーザーが、表示部６に表示された簡易メニュー画面４２を見ながら操作パネル７のキーを操作すると、操作パネル７は、ユーザーの操作内容に応じた操作信号を制御部２１に出力する。制御部２１は、操作信号に応じた設定処理を実行し、フローを終了する。表示される簡易メニュー画面４２の内容は、上記した第１実施形態と同様である。
【００６６】
以上説明したように、第２実施形態のプロジェクター１、及びプロジェクター１の制御方法によれば、以下の効果を得ることができる。
【００６７】
（３）第２実施形態によれば、プロジェクター１は、投写面５０に投写されたＯＳＤメニュー画面４１を撮像部８で撮像し、投写面５０の状態が、ＯＳＤメニュー画面４１を適切に視認できる状態であると判定されれば投写面５０に表示されているＯＳＤメニュー画面４１で設定を行わせ、適切に視認できる状態ではないと判定されれば表示部６に簡易メニュー画面４２を表示して設定させる。例えば、投写面５０が淡色で平滑な場合には、ＯＳＤメニュー画面４１が投写面５０に表示されるため、ユーザーは、大きな画面で設定を行うことができる。一方、投写面５０が凹凸面であったり、暗色であったりする場合には、簡易メニュー画面４２が表示部６に表示されるため、ユーザーは、投写面５０を見ることなく設定を行うことができる。このように、プロジェクター１は、投写面５０の状態に応じて適切な態様でメニュー画面を表示するため、プロジェクター１の設定を行う際のユーザーの利便性を向上することが可能となる。
【００６８】
（変形例）
また、上記実施形態は、以下のように変更してもよい。
【００６９】
上記実施形態では、レンズカバー駆動部３３の駆動によってレンズカバー５を開閉する態様を示したが、これに限定されず、レンズカバー５を手動で開閉する態様であってもよい。手動でレンズカバー５を開閉する場合には、レンズカバー５の開閉状態を検出する検出部を設け、判定部２１ａは、検出部の検出結果に基づいて、レンズカバー５が開いているか否かを判定すればよい。また、判定部２１ａは、撮像部８が投写面５０を撮像した画像に基づいて、レンズカバー５が開いているか否かを判定するようにすれば、検出部を設ける必要はない。
【００７０】
上記実施形態では、メニュー画面（ＯＳＤメニュー画面４１、簡易メニュー画面４２）の選択を、第１実施形態のようにレンズカバー５の開閉状態で選択したり、第２実施形態のようにＯＳＤメニュー画面４１の表示状態で選択したりするようにしたが、これに限定されず、第１実施形態と第２実施形態を組み合わせた態様にしてもよい。
【００７１】
例えば、最初にレンズカバー５を開けておき、ＯＳＤメニュー画面４１を投写させて、撮像部８及び判定部２１ａによって投写面５０の状態を判別させる。ＯＳＤメニュー画面４１が正しく表示されれば、ＯＳＤメニュー画面４１を見ながらプロジェクター１の各種設定を行う。一方、ＯＳＤメニュー画面４１が正しく表示されなければ、簡易メニュー画面４２を表示部６に表示させ、簡易メニュー画面４２を見ながらプロジェクター１の各種設定を行うようにしてもよい。
【００７２】
上記実施形態のように、投写面５０にはＯＳＤメニュー画面４１を投写し、表示部６には簡易メニュー画面４２を表示することに限定されず、同じメニュー画面を表示するようにしてもよい。具体的には、投写面５０には拡大されたメニュー画面（ＯＳＤメニュー画面）を表示し、表示部６には拡大されない同じメニュー画面を表示する。また、簡易メニュー画面４２は、図６に示すように、３行表示であることに限定されず、２行未満の表示でもいいし、４行以上の行数を表示できるようにしてもよい。
【００７３】
上記実施形態のように、図４及び図８に示すフローチャートは、操作パネル７のメニューキー１４を操作した際に開始するようにしたが、これに限定されず、例えばプロジェクター１の起動直後に開始するようにしてもよい。
【００７４】
上記実施形態において、判定部２１ａは、撮像部８が撮像した画像に基づいて、投写面５０としてのスクリーンの輪郭を検出するようにしてもよい。この場合、判定部２１ａが輪郭を検出できた場合には、制御部２１は、画像投写部２３からＯＳＤメニュー画面４１を投写させ、輪郭を判定できない場合には表示部６に簡易メニュー画面４２を表示させる。
【００７５】
上記実施形態のように、レンズカバー５の開閉状態や投写面５０の状態に応じて投写面５０にＯＳＤメニュー画面４１を投写したり表示部６に簡易メニュー画面４２を表示したりしているが、これに限定されない。例えば、判定部２１ａは、プロジェクター１の光源２４の点灯状態を判定し、制御部２１は、光源２４が点灯している場合には、投写面５０にＯＳＤメニュー画面４１を投写して各種設定を行わせる。一方、制御部２１は、電源オフの状態や、省電力モードの状態、画像の投写を一時的に停止させた状態などのように、光源２４が消灯している場合には、表示部６に簡易メニュー画面４２を表示させるようにしてもよい。
【００７６】
また、画像投写部２３が、投写レンズ４の交換が可能な構成である場合には、投写レンズ４の装着状態を検出する検出部を設けるようにしてもよい。この場合、判定部２１ａは、検出部の検出結果に基づいて、投写レンズ４が装着された状態か否かを判定する。そして、制御部２１は、投写レンズ４が装着されている場合には、画像投写部２３からＯＳＤメニュー画面４１を投写させ、投写レンズ４が装着されていない場合には、表示部６に簡易メニュー画面４２を表示させる。
【００７７】
また、複数のプロジェクター１で１つの大きな画像を投写する態様において、各プロジェクター１が、画像の一部が他のプロジェクター１と重なるように配置される場合には、判定部２１ａは、画像が重なる重畳領域の幅が閾値よりも小さいか否かを判定するようにしてもよい。この場合、制御部２１は、重畳領域が閾値よりも小さい場合には、ＯＳＤメニュー画面４１を画像投写部２３から投写させる。一方、重畳領域が閾値以上の幅を有する場合には、ＯＳＤメニュー画面４１が他のプロジェクター１の画像によって隠れてしまう恐れがあるため、表示部６に簡易メニュー画面４２を表示させる。
【００７８】
また、判定部２１ａは、撮像部８が撮像した画像、又は図示しない障害物センサーの検知結果に基づいて、画像投写部２３と投写面５０との間に障害物が存在するか否かを判定するようにしてもよい。この場合、制御部２１は、障害物が存在しない場合には、ＯＳＤメニュー画面４１を画像投写部２３から投写させる。一方、障害物が存在する場合には、表示部６に簡易メニュー画面４２を表示させる。
【００７９】
また、プロジェクター１の使用状態の変化を監視するようにして、使用状態が変化したとき、簡易メニュー画面４２を表示する状態と、ＯＳＤメニュー画面４１を表示する状態とを切り換えるようにしてもよい。
【００８０】
以下に、実施形態から導き出される内容を記載する。
【００８１】
プロジェクターは、前記プロジェクターの設定を行う第１設定画面を投写面に投写する投写部と、前記プロジェクターの筐体に配置され、前記プロジェクターの設定を行う第２設定画面を表示する表示部と、前記プロジェクターの使用状態を判定する判定部と、前記判定部で判定された前記使用状態に応じて、動作モードを前記投写部から前記第１設定画面を投写させる第１モードと、前記表示部に前記第２設定画面を表示させる第２モードと、で切り換えるモード切り換え部と、を備えることを特徴とする。
【００８２】
この構成によれば、プロジェクターの使用状態によって、投写面に第１設定画面を投写させる第１モードと、表示部に第２設定画面を表示させる第２モードと、を切り換えるので、使用状態に合わせた最適な表示を行うことができる。例えば、投写面に凹凸があり投写した第１設定画面が見にくい場合には、表示部に第２設定画面を表示させて各種設定などを設定することができる。一方、第１設定画面を見ることができる状態にあれば、投写部によって第１設定画面を投写面に投写させ、大きな表示をさせて各種設定を行うことができる。
【００８３】
上記のプロジェクターにおいて、前記プロジェクターは、前記投写部による投写を遮るカバーを備え、前記判定部は、前記カバーの開閉状態を判定し、前記モード切り換え部は、前記カバーが開いていれば前記動作モードを前記第１モードにし、前記カバーが閉じていれば前記動作モードを前記第２モードにすることが望ましい。
【００８４】
この構成によれば、カバーが開いていれば投写面に第１設定画面を投写し、カバーが閉じていれば表示部に第２設定画面を表示する。つまり、カバーが開いていて、画像の投写が可能な場合には、第１設定画面が投写面に表示されるため、ユーザーは、大きな画面で設定を行うことができる。一方、カバーが閉じていて画像を投写できない場合には、第２設定画面が表示部に表示されるため、ユーザーは、プロジェクターから画像を投写することなく設定を行うことができる。このように、プロジェクターは、カバーの開閉状態に応じて適切な態様で画面を表示するため、プロジェクターの設定を行う際のユーザーの利便性を向上することが可能となる。
【００８５】
上記のプロジェクターにおいて、前記投写面を撮像する撮像部を備え、前記判定部は、前記撮像部により撮像された画像に基づいて、前記投写面の状態が前記第１設定画面を視認可能な状態であるか否かを判定し、前記モード切り換え部は、前記投写面の状態が前記第１設定画面を視認可能な状態であると前記判定部が判定した場合には、前記動作モードを前記第１モードにし、前記投写面の状態が前記第１設定画面を視認可能な状態ではないと前記判定部が判定した場合には、前記動作モードを前記第２モードにすることが望ましい。
【００８６】
この構成によれば、投写面に投写された第１設定画面を撮像部で撮像し、投写面の状態が、第１設定画面を適切に視認できる状態であると判定されれば投写面に表示されている第１設定画面で設定を行わせ、適切に視認できる状態ではないと判定されれば表示部に第２設定画面を表示して設定させる。例えば、投写面が淡色で平滑な場合には、第１設定画面が投写面に表示されるため、ユーザーは、大きな画面で設定を行うことができる。一方、投写面が凹凸面であったり、暗色であったりする場合には、第２設定画面が表示部に表示されるため、ユーザーは、投写面を見ることなく設定を行うことができる。このように、プロジェクターは、投写面の状態に応じて適切な態様で画面を表示するため、プロジェクターの設定を行う際のユーザーの利便性を向上することが可能となる。
【００８７】
上記のプロジェクターにおいて、前記投写部は、光源を備えており、前記判定部は、前記光源の点灯状態を判定し、前記モード切り換え部は、前記光源が点灯していれば前記動作モードを前記第１モードにし、前記光源が消灯していれば前記動作モードを前記第２モードにすることが望ましい。
【００８８】
この構成によれば、光源の点灯状態を判定し、点灯状態に応じて第１モードと第２モードとを切り換えて画像を表示するので、適切な態様で画面を表示することができ、プロジェクターの設定を行う際のユーザーの利便性を向上することが可能となる。
【００８９】
上記のプロジェクターにおいて、前記投写部は、交換が可能な投写光学系を含み、前記判定部は、前記投写光学系の装着状態を判定し、前記モード切り換え部は、前記投写光学系が装着されていれば前記動作モードを前記第１モードにし、前記投写光学系が装着されていなければ前記動作モードを前記第２モードにすることが望ましい。
【００９０】
この構成によれば、投写光学系の装着状態を判定し、装着状態に応じて第１モードと第２モードとを切り換えて画像を表示するので、適切な態様で画面を表示することができ、プロジェクターの設定を行う際のユーザーの利便性を向上することが可能となる。
【００９１】
プロジェクターの制御方法は、前記プロジェクターは投写部と、前記プロジェクターの筐体に配置される表示部と、を備え、前記プロジェクターの使用状態を判定し、判定した前記使用状態に応じて、前記プロジェクターの設定を行う第１設定画面を前記投写部から投写面に投写させる第１モードと、前記プロジェクターの設定を行う第２設定画面を前記表示部に表示させる第２モードと、を切り換えることを特徴とする。
【００９２】
この方法によれば、プロジェクターの使用状態によって、投写面に第１設定画面を投写させる第１モードと、表示部に第２設定画面を表示させる第２モードと、を切り換えるので、使用状態に合わせた最適な表示を行うことができる。例えば、投写面に凹凸があり投写した第１設定画面が見にくい場合には、表示部に第２設定画面を表示させて各種設定などを設定することができる。一方、第１設定画面を見ることができる状態にあれば、投写部によって第１設定画面を投写面に投写させ、大きな表示をさせて各種設定を行うことができる。
【００９３】
上記のプロジェクターの制御方法において、前記プロジェクターには、投写を遮るカバーが配置されており、前記カバーの開閉状態を判定し、前記カバーが開いている場合、前記動作モードを前記第１モードにし、前記カバーが閉じている場合、前記動作モードを前記第２モードにすることが望ましい。
【００９４】
この方法によれば、カバーが開いていれば投写面に第１設定画面を投写し、カバーが閉じていれば表示部に第２設定画面を表示する。つまり、カバーが開いていて、画像の投写が可能な場合には、第１設定画面が投写面に表示されるため、ユーザーは、大きな画面で設定を行うことができる。一方、カバーが閉じていて画像を投写できない場合には、第２設定画面が表示部に表示されるため、ユーザーは、プロジェクターから画像を投写することなく設定を行うことができる。このように、プロジェクターは、カバーの開閉状態に応じて適切な態様で画面を表示するため、プロジェクターの設定を行う際のユーザーの利便性を向上することが可能となる。
【００９５】
上記のプロジェクターの制御方法において、前記投写面を撮像し、前記投写面の状態が前記第１設定画面を視認可能な状態であるか否かを判定し、前記投写面の状態が前記第１設定画面を視認可能な状態であると判定された場合、前記動作モードを前記第１モードにし、前記投写面の状態が前記第１設定画面を視認可能な状態ではないと判定された場合、前記動作モードを前記第２モードにすることが望ましい。
【００９６】
この方法によれば、投写面に投写された第１設定画面を撮像部で撮像し、投写面の状態が、第１設定画面を適切に視認できる状態であると判定されれば投写面に表示されている第１設定画面で設定を行わせ、適切に視認できる状態ではないと判定されれば表示部に第２設定画面を表示して設定させる。例えば、投写面が淡色で平滑な場合には、第１設定画面が投写面に表示されるため、ユーザーは、大きな画面で設定を行うことができる。一方、投写面が凹凸面であったり、暗色であったりする場合には、第２設定画面が表示部に表示されるため、ユーザーは、投写面を見ることなく設定を行うことができる。このように、プロジェクターは、投写面の状態に応じて適切な態様で画面を表示するため、プロジェクターの設定を行う際のユーザーの利便性を向上することが可能となる。
【符号の説明】
【００９７】
１…プロジェクター、２…筐体、２ｆ…前面、２ｓ…側面、３…開口部、４…投写光学系としての投写レンズ、５…カバーとしてのレンズカバー、６…表示部、７…操作パネル、８…撮像部、１１…電源キー、１２…開閉キー、１２ａ…閉キー、１２ｂ…開キー、１３…入力切換キー、１４…メニューキー、１５ａ…カーソルキー、１５ｂ…決定キー、２１…制御部、２１ａ…判定部、２１ｂ…モード切り換え部としての切り換え部、２２…記憶部、２３…投写部としての画像投写部、２４…光源、２５Ｒ，２５Ｇ，２５Ｂ…液晶ライトバルブ、２５ｉ…画素領域、２７…ライトバルブ駆動系、２８…画像情報処理部、２９…画像情報入力部、３１…入力操作部、３２…電源回路、３３…レンズカバー駆動部、４１…ＯＳＤメニュー画面、４２…簡易メニュー画面、５０…投写面。
【図１】
2020034644.tif 000003
【図２】
2020034644.tif 000004
【図３】
2020034644.tif 000005
【図４】
2020034644.tif 000006
【図５】
2020034644.tif 000007
【図６】
2020034644.tif 000008
【図７】
2020034644.tif 000009
【図８】
2020034644.tif 000010